(57)【要約】【課題】ユーザの意図に反した有料コンテンツの自動更新を回避するため、ユーザ自身の指定によりサービス取得期間を更新する。【解決手段】携帯電話機１の中央制御部１４は、コンテンツ登録制御部１４１と、通知日時・通知方法設定部１４２と、指定日時監視部１４３とを備える。コンテンツ登録制御部１４１は有料コンテンツへの登録更新動作を行う。通知日時・通知方法設定部１４２は、ユーザの指定により有料コンテンツのサービス取得期間満了通知及びこの満了通知時の通知方法として警報メッセージによる通知あるいは待受け画面への警報用のアイコン貼付のいずれかを設定する。指定日時監視部１４３は、通知日時・通知方法設定部１４２が設定したサービス取得期間の経過を監視し予め指定したサービス取得期間満了日時に到達した場合警報のための信号を出力し表示部１６に警報表示させる。【選択図】      図１
2004348230.tif 000002
【特許請求の範囲】
【請求項１】
ブラウザを起動しインターネットを介してコンテンツサーバに接続可能な携帯通信端末であって、自携帯通信端末から月額制の有料コンテンツへ登録した場合予め登録設定したサービス取得期間満了日時に到達したとき表示画面に所定の警報通知を出力させる制御手段を備えることを特徴とする携帯通信端末。
【請求項２】
前記制御手段は、前記警報通知を警報メッセージあるいは警報用のアイコン貼付のいずれかにより行わせることを特徴とする請求項１記載の携帯通信端末。
【請求項３】
ユーザの操作入力に基づいてブラウザを起動しインターネットを介してコンテンツサーバに接続し、月額制の有料コンテンツへ登録可能な制御手段を有する携帯通信端末であって、前記制御手段は、有料コンテンツへの登録更新動作を行うコンテンツ登録制御部と、ユーザの指定により有料コンテンツのサービス取得期間満了通知及びこの満了通知時の通知方法として警報メッセージによる通知あるいは待受け画面への警報用のアイコン貼付のいずれかを設定する通知日時・通知方法設定部と、前記通知日時・通知方法設定部が設定したサービス取得期間の経過を監視し予め指定したサービス取得期間満了日時に到達した場合警報のための信号を出力し警報表示させる指定日時監視部とを備えることを特徴とする携帯通信端末。
【請求項４】
前記制御手段は、有料コンテンツ取得のため前記コンテンツ登録制御部によって登録した日時からの経過日時を計時し期間を出力する経過日時出力部を備えることを特徴とする請求項３記載の携帯通信端末。
【請求項５】
前記制御手段は、前記経過日時出力部が出力した期間に基づき有料コンテンツの料金を演算し出力する課金情報演算部を備えることを特徴とする請求項４記載の携帯通信端末。
【請求項６】
ユーザの操作入力に基づいてブラウザを起動しインターネットを介してコンテンツサーバに接続し、月額制の有料コンテンツサービスを取得する携帯通信端末における有料コンテンツ登録更新方法であって、自携帯通信端末から月額制の有料コンテンツに登録した場合、この有料コンテンツのサービス取得期間満了の日時情報及びその通知方法として警報メッセージによる通知あるいは待受け画面へのアイコン貼付のいずれかを操作選択させるステップと、前記日時情報及び選択された通知方法を自携帯通信端末のメモリに登録するステップとを有することを特徴とする携帯通信端末における有料コンテンツ登録更新方法。
【請求項７】
予め指定したサービス取得期間満了日時に到達した場合、有料コンテンツ取得サービスの満了通知のための警報用信号を出力するステップと、前記警報用信号の受信により予めメモリに登録した前記満了通知の方法を参照するステップと、この満了通知が警報メッセージによる通知か否かを判定するステップと、この判定の結果警報メッセージによる通知でない場合、待受け画面に警報通知用のアイコンを貼り付けるよう指示するステップと、前記判定の結果警報メッセージによる通知の場合、画面に警報メッセージを表示するよう指示するステップと、この指示後にユーザによるキー操作の有無を判定するステップと、このキー操作がない場合タイムアウト後に待受け画面に前記アイコンを貼り付けるよう指示するステップと、警報メッセージ通知指示あるいはアイコン貼付指示に基づき画面表示するステップとを有することを特徴とする請求項６記載の携帯通信端末における有料コンテンツ登録更新方法。
【請求項８】
有料コンテンツの取得登録をしてからの経過日時を監視し出力するステップを有することを特徴とする請求項７記載の携帯通信端末における有料コンテンツ登録更新方法。
【請求項９】
有料コンテンツの取得登録をしてからの経過日時に対応する料金を演算し出力するステップを有することを特徴とする請求項８記載の携帯通信端末における有料コンテンツ登録更新方法。
【請求項１０】
ユーザの操作入力に基づいてブラウザを起動しインターネットを介してコンテンツサーバに接続し、月額制の有料コンテンツサービスを取得する携帯通信端末における有料コンテンツ登録更新をコンピュータに実行させるためのプログラムであって、予め指定したサービス取得期間満了日時に到達した場合、有料コンテンツ取得サービスの満了通知のための警報用信号を出力する処理と、前記警報用信号の受信により予めメモリに登録した前記満了通知の方法を参照する処理と、この満了通知が警報メッセージによる通知か否かを判定する処理と、この判定の結果警報メッセージによる通知でない場合、待受け画面に警報通知用のアイコンを貼り付けるよう指示する処理と、前記判定の結果警報メッセージによる通知の場合、画面に警報メッセージを表示するよう指示する処理と、この指示後にユーザによるキー操作の有無を判定する処理と、このキー操作がない場合タイムアウト後に待受け画面に前記アイコンを貼り付けるよう指示する処理と、警報メッセージ通知指示あるいはアイコン貼付指示に基づき画面表示する処理とをコンピュータに実行させるためのプログラム。
【請求項１１】
請求項１０記載のプログラムにおいて、有料コンテンツの取得登録をしてからの経過日時を監視し出力する処理をコンピュータに実行させるためのプログラム。
【請求項１２】
請求項１１記載のプログラムにおいて、有料コンテンツの取得登録をしてからの経過日時に対応する料金を演算し出力する処理をコンピュータに実行させるためのプログラム。
【請求項１３】
携帯通信端末によりブラウザを起動し移動体通信網及びインターネットを介し接続され月額制の有料コンテンツを提供するコンテンツサーバであって、前記携帯通信端末から有料コンテンツ取得登録、更新あるいは登録解約の情報を受信する更新・解約情報受信制御部と、前記更新・解約情報受信制御部が受信した更新情報あるいは解約情報に基づき当該ユーザの登録情報を更新するユーザ情報登録部とを備えることを特徴とするコンテンツサーバ。
【請求項１４】
請求項１〜５いずれか１項に記載の携帯通信端末と、請求項１３記載のコンテンツサーバとを備えることを特徴とするシステム。
【発明の詳細な説明】
【０００１】
【発明の属する技術分野】
本発明は携帯通信端末に関し、特に携帯通信端末におけるインターネット上の有料コンテンツ取得登録の更新機能に関する。
【０００２】
【従来の技術】
従来、携帯通信端末の代表的端末である携帯電話機において、ブラウザから登録サイト（各種有料コンテンツ）へ登録した場合、１ヶ月単位での自動更新となりユーザとしては気づかない間に更新され、且つ課金されるケースが多々あると考えられる。従来例として、インターネット上に開設された携帯電話機向けの有料コンテンツを提供するシステムが開示されている（例えば、特許文献１参照）。
【０００３】
【特許文献１】
特開２００２−１２３７５８号公報（段落番号０００９、図１）
【０００４】
【発明が解決しようとする課題】
上述したようなユーザが気がつかない間に、有料コンテンツ取得登録が自動更新されないようにするため、予め登録時にユーザ側で自動更新通知に関する設定を行うことで、指定日時での通知により更新または解約の判断を委ねることを容易にできるような機能が求められている。
【０００５】
本発明の目的は、ユーザの意図に反した有料コンテンツの自動更新を回避するため、ユーザ自身の指定によりサービス取得期間を更新することが可能な携帯通信端末及びその有料コンテンツ登録更新方法，プログラム，コンテンツサーバ並びにシステムを提供することにある。
【０００６】
【課題を解決するための手段】
請求項１に記載の本発明は、ブラウザを起動しインターネットを介してコンテンツサーバに接続可能な携帯通信端末であって、自携帯通信端末から月額制の有料コンテンツへ登録した場合予め登録設定したサービス取得期間満了日時に到達したとき表示画面に所定の警報通知を出力させる制御手段を備える。
【０００７】
請求項２に記載の本発明は、請求項１において、前記制御手段は、前記警報通知を警報メッセージあるいは警報用のアイコン貼付のいずれかにより行わせる。
【０００８】
請求項３に記載の本発明は、ユーザの操作入力に基づいてブラウザを起動しインターネットを介してコンテンツサーバに接続し、月額制の有料コンテンツへ登録可能な制御手段を有する携帯通信端末であって、前記制御手段は、有料コンテンツへの登録更新動作を行うコンテンツ登録制御部と、ユーザの指定により有料コンテンツのサービス取得期間満了通知及びこの満了通知時の通知方法として警報メッセージによる通知あるいは待受け画面への警報用のアイコン貼付のいずれかを設定する通知日時・通知方法設定部と、前記通知日時・通知方法設定部が設定したサービス取得期間の経過を監視し予め指定したサービス取得期間満了日時に到達した場合警報のための信号を出力し警報表示させる指定日時監視部とを備えることを特徴とする携帯通信端末。
【０００９】
請求項４に記載の本発明は、請求項３において、前記制御手段は、有料コンテンツ取得のため前記コンテンツ登録制御部によって登録した日時からの経過日時を計時し期間を出力する経過日時出力部を備える。
【００１０】
請求項５に記載の本発明は、請求項４において、前記制御手段は、前記経過日時出力部が出力した期間に基づき有料コンテンツの料金を演算し出力する課金情報演算部を備えることを特徴とする請求項４記載の携帯通信端末。
【００１１】
請求項６に記載の本発明は、ユーザの操作入力に基づいてブラウザを起動しインターネットを介してコンテンツサーバに接続し、月額制の有料コンテンツサービスを取得する携帯通信端末における有料コンテンツ登録更新方法であって、自携帯通信端末から月額制の有料コンテンツに登録した場合、この有料コンテンツのサービス取得期間満了の日時情報及びその通知方法として警報メッセージによる通知あるいは待受け画面へのアイコン貼付のいずれかを操作選択させるステップと、前記日時情報及び選択された通知方法を自携帯通信端末のメモリに登録するステップとを有する。
【００１２】
請求項７に記載の本発明は、請求項６において、予め指定したサービス取得期間満了日時に到達した場合、有料コンテンツ取得サービスの満了通知のための警報用信号を出力するステップと、前記警報用信号の受信により予めメモリに登録した前記満了通知の方法を参照するステップと、この満了通知が警報メッセージによる通知か否かを判定するステップと、この判定の結果警報メッセージによる通知でない場合、待受け画面に警報通知用のアイコンを貼り付けるよう指示するステップと、前記判定の結果警報メッセージによる通知の場合、画面に警報メッセージを表示するよう指示するステップと、この指示後にユーザによるキー操作の有無を判定するステップと、このキー操作がない場合タイムアウト後に待受け画面に前記アイコンを貼り付けるよう指示するステップと、警報メッセージ通知指示あるいはアイコン貼付指示に基づき画面表示するステップとを有する。
【００１３】
請求項８に記載の本発明は、請求項７において、有料コンテンツの取得登録をしてからの経過日時を監視し出力するステップを有する。
【００１４】
請求項９に記載の本発明は、請求項８において、有料コンテンツの取得登録をしてからの経過日時に対応する料金を演算し出力するステップを有する。
【００１５】
請求項１０に記載の本発明は、ユーザの操作入力に基づいてブラウザを起動しインターネットを介してコンテンツサーバに接続し、月額制の有料コンテンツサービスを取得する携帯通信端末における有料コンテンツ登録更新をコンピュータに実行させるためのプログラムであって、予め指定したサービス取得期間満了日時に到達した場合、有料コンテンツ取得サービスの満了通知のための警報用信号を出力する処理と、前記警報用信号の受信により予めメモリに登録した前記満了通知の方法を参照する処理と、この満了通知が警報メッセージによる通知か否かを判定する処理と、この判定の結果警報メッセージによる通知でない場合、待受け画面に警報通知用のアイコンを貼り付けるよう指示する処理と、前記判定の結果警報メッセージによる通知の場合、画面に警報メッセージを表示するよう指示する処理と、この指示後にユーザによるキー操作の有無を判定する処理と、このキー操作がない場合タイムアウト後に待受け画面に前記アイコンを貼り付けるよう指示する処理と、警報メッセージ通知指示あるいはアイコン貼付指示に基づき画面表示する処理とをコンピュータに実行させる。
【００１６】
請求項１１に記載の本発明は、請求項１０記載のプログラムにおいて、有料コンテンツの取得登録をしてからの経過日時を監視し出力する処理をコンピュータに実行させる。
【００１７】
請求項１２に記載の本発明は、請求項１１記載のプログラムにおいて、有料コンテンツの取得登録をしてからの経過日時に対応する料金を演算し出力する処理をコンピュータに実行させる。
【００１８】
請求項１３に記載の本発明は、携帯通信端末によりブラウザを起動し移動体通信網及びインターネットを介し接続され月額制の有料コンテンツを提供するコンテンツサーバであって、前記携帯通信端末から有料コンテンツ取得登録、更新あるいは登録解約の情報を受信する更新・解約情報受信制御部と、前記更新・解約情報受信制御部が受信した更新情報あるいは解約情報に基づき当該ユーザの登録情報を更新するユーザ情報登録部とを備える。
【００１９】
請求項１４に記載の本発明は、サービス申し込みのあった携帯通信端末に対し月額制の有料コンテンツを提供するシステムであって、請求項１〜５いずれか１項に記載の携帯通信端末と、請求項１３記載のコンテンツサーバとを備える。
【００２０】
本発明によれば、携帯通信端末より月額制の有料コンテンツへ登録した場合に、ユーザに登録の自動更新通知を行うことにより、ユーザ側に更新の判断を委ねることができる。
【００２１】
【発明の実施の形態】
次に、本発明の実施の形態について図面を参照して説明する。
【００２２】
本発明は、携帯通信端末の一種である携帯電話機からインターネット上のコンテンツサーバの有料コンテンツへ取得登録後、ユーザによりこのコンテンツ取得満了通知日時及びその通知方法を設定し、指定日時経過後、登録を自動更新する前にユーザに対し警報通知を行う。初期設定としては、有料コンテンツへ登録月の月末に通知を行うものとする。
【００２３】
本発明の実施の形態を示す図１を参照すると、携帯電話機１と、この携帯電話機１と無線回線により接続される基地局２と、移動体通信網３およびインターネット４を介し携帯電話機１に有料コンテンツを提供するコンテンツサーバ５とを備えるシステムが示されている。携帯電話機１は、基地局２と無線信号の送受信を行う無線部１１と、キー操作により各種情報，例えば期間データや通知方法の選択入力を行うためのキー入力部１２と、携帯電話機各部の動作制御のためのプログラムを格納すると共に有料コンテンツ取得日時情報及び指定日時経過時の通知形態（通知方法）を記憶しておくメモリ１３と、メモリ１３から読み出したプログラムに基づき携帯電話機各部の制御を行うマイクロプロセッサで構成されるコンピュータ相当の中央制御部１４と、中央制御部１４の指示に基づき表示部を駆動制御する表示制御部１５と、液晶画面からなる表示部１６とを備える。
【００２４】
中央制御部１４は、ユーザの操作入力に基づいてブラウザを起動しインターネットを介してコンテンツサーバに接続し、月額制の有料コンテンツへ登録可能である。中央制御部１４は、コンテンツ登録制御部１４１と、通知日時・通知方法設定部１４２と、指定日時監視部１４３とを備える。コンテンツ登録制御部１４１は有料コンテンツへの登録更新動作を行う。通知日時・通知方法設定部１４２は、ユーザの指定により有料コンテンツのサービス取得期間満了通知及びこの満了通知時の通知方法として警報メッセージによる通知あるいは待受け画面への警報用のアイコン貼付のいずれかを設定する。指定日時監視部１４３は、通知日時・通知方法設定部１４２が設定したサービス取得期間の経過を監視し予め指定したサービス取得期間満了日時に到達した場合警報のための信号を出力し表示部１６に警報表示させる。
【００２５】
コンテンツサーバ５は、更新・解約情報受信制御部５１と、ユーザ情報登録部５２とを備える。更新・解約情報受信制御部５１は、携帯電話機１から有料コンテンツ取得登録、更新あるいは登録解約の情報を受信する。ユーザ情報登録部５２は、更新・解約情報受信制御部５１が受信した更新情報あるいは解約情報に基づき当該ユーザの登録情報を更新する。
【００２６】
次に、本発明の実施の形態の動作について説明する。
【００２７】
図２を参照すると、図１の携帯電話機におけるユーザ操作に基づく設定処理のフローチャートが示されている。自携帯通信端末から月額制の有料コンテンツに登録した場合（ステップ２１：Ｓ２１と略称、以下同様）、この有料コンテンツのサービス取得期間満了の日時情報及びその通知方法として、警報メッセージによる通知あるいは待受け画面へのアイコン貼付のいずれかを操作選択させ（Ｓ２２）、日時情報及び選択された通知方法を自携帯通信端末のメモリに登録する（Ｓ２３）。
【００２８】
図３を参照すると、図１の携帯電話機におけるコンテンツ取得登録更新処理手順のフローチャートが示されている。予め指定したサービス取得期間満了日時に到達した場合、有料コンテンツ取得サービスの満了通知のための警報用信号を出力し（Ｓ３１）、警報用信号の受信により予めメモリに登録した満了通知の方法を参照する（Ｓ３２）。次に、この満了通知が警報メッセージによる通知か否かを判定し（Ｓ３３）、この判定の結果、警報メッセージによる通知でない場合、待受け画面に警報通知用のアイコンを貼り付けるよう指示する（Ｓ３４）。Ｓ３３で判定の結果、警報メッセージによる通知の場合、画面に警報メッセージを表示するよう指示する（Ｓ３５）。この指示後にユーザによるキー操作の有無を判定し（Ｓ３６）し、このキー操作がない場合タイムアウト後に待受け画面にアイコンを貼り付けるよう指示する（Ｓ３７）。最後に、警報メッセージ通知指示あるいはアイコン貼付指示に基づき画面表示する（Ｓ３８）。アイコン貼付の場合、アイコンをユーザが選択することにより、当該コンテンツの登録更新に係わる警報通知情報を表示する。従って、ユーザはこの表示された通知情報を見たうえで、ユーザの意志により当該有料コンテンツの取得延長登録あるいは解約を行うことができる。
【００２９】
上述した実施の形態では、有料コンテンツ取得期間の更新通知について述べたが、この他に、ユーザにとり有効な機能として、登録からの経過日時の通知及びその課金情報の明示を行うことも可能である。
【００３０】
図４を参照すると携帯電話機１ａでは、図１の携帯電話機の構成に対し、中央制御部１４ａに経過日時出力部１４４と課金情報演算部１４５とがさらに追加されている。経過日時出力部１４４は、有料コンテンツ取得のため前記コンテンツ登録制御部によって登録した日時からの経過日時を計時し期間を出力する。課金情報演算部１４５は、経過日時出力部１４４が出力した期間に基づき有料コンテンツの料金を演算し出力する。なお、課金情報が必要ない場合には、課金情報演算部１４５を設けない構成とすればよい。
【００３１】
【発明の効果】
以上説明したように本発明によれば、携帯通信端末からインターネット上の有料コンテンツに取得登録した場合、当該の携帯通信端末自身がこの登録の自動更新通知を行うことにより、コンテンツ提供側で勝手にサービス期間を延長させることなく、ユーザ側に更新の判断を委ねることができる。
【図面の簡単な説明】
【図１】本発明の実施の形態を示す構成図である。
【図２】図１の携帯電話機におけるユーザ操作に基づく設定処理を示すフローチャートである。
【図３】図１の携帯電話機におけるコンテンツ取得登録の更新処理手順を示すフローチャートである。
【図４】図１の携帯電話機に一部機能を追加した構成を示す図である。
【符号の説明】
１，１ａ    携帯電話機
２    基地局
３    移動体通信網
４    インターネット
５    コンテンツサーバ
１１    無線部
１２    キー入力部
１３    メモリ
１４，１４ａ    中央制御部
１５    表示制御部
１６    表示部
１４１    コンテンツ登録制御部
１４２    通知日時・通知方法設定部
１４３    指定日時監視部
１４４    経過日時出力部
１４５    課金情報演算部
【図１】
2004348230.tif 000003
【図２】
2004348230.tif 000004
【図３】
2004348230.tif 000005
【図４】
2004348230.tif 000006